(57)【要約】【課題】  トイレットペーパーホルダー等の上に設置するだけで、同ホルダー等の上に携帯電話や財布などを置くことができ、置いたものが落ちにくいトレイを提供する。【解決手段】  トレイ１は、柔軟性高摩擦材料からなるベース板３と、該ベース板の表面に立設された凸部５を備える。トレイ１のベース板３は、トイレットペーパーホルダー21の蓋23の上に添って置かれる。凸部５は、トレイ使用時に、携帯電話11の端部11bが当接して、携帯電話11の落下を防止する。【選択図】  図２
2018007746.tif 000002
【特許請求の範囲】
【請求項１】
柔軟性高摩擦材料からなるベース板と、
該ベース板の表面に立設された凸部と、
を備えることを特徴とするトレイ。
【請求項２】
前記ベース板及び／又は凸部がシリコーンゴム製であることを特徴とする請求項１記載のトレイ。
【請求項３】
前記ベース板及び／又は凸部が、シリコーンゴムにシラスを配合したものであることを特徴とする請求項１記載のトレイ。
【請求項４】
前記シラスの配合割合が５〜５０重量％であることを特徴とする請求項３記載のトレイ。
【請求項５】
前記トレイのベース板が略長方形であり、幅が８０mm〜１２０mm、長さが８０mm〜１１０mm、厚さが１．５mm〜３mmであり、前記凸部が長さ方向端から５〜２５ｍｍの位置に突設されていることを特徴とする請求項１〜４記載のトレイ。
【請求項６】
前記柔軟性高摩擦材料がゴムであり、硬度が６０度以下であることを特徴とする請求項１〜４記載のトレイ。
【請求項７】
硬度が３０〜４０度であることを特徴とする請求項６記載のトレイ。
【発明の詳細な説明】
【技術分野】
【０００１】
本発明は、携帯電話などの小物を置くトレイに関する。
【背景技術】
【０００２】
トイレットペーパーホルダーに関する一般的文献として、特許文献１を摘示する。
【先行技術文献】
【特許文献】
【０００３】
【特許文献１】特開2014-104238号公報
【発明の概要】
【発明が解決しようとする課題】
【０００４】
トレイの中で、携帯電話の置き場に困ることがある。そこで、手近にあるトイレットペーパーホルダーの蓋（切断歯・エッジ付き）の上に携帯電話を置くと、トイレットペーパーを巻き出すときに、蓋が揺れて、携帯電話が落ちそうになり、あわてて手で押えなければならなくなる。そもそも、トイレットペーパーのロールが少なくなっていると、ホルダー蓋が斜めになっていて、物を置くことができない。トイレットペーパーホルダーの蓋は、一般的に、金属・硬質プラスチック製で、摩擦係数が小さく、携帯電話などは特に滑りやすい。
【０００５】
本発明は、トイレットペーパーホルダー等の上に設置するだけで、同ホルダー等の上に携帯電話や財布などを置くことができ、置いたものが落ちにくいトレイを提供することを目的とする。
【課題を解決するための手段】
【０００６】
本発明のトレイは、  柔軟性高摩擦材料からなるベース板と、  該ベース板の表面に立設された凸部、を備えることを特徴とする。凸部は、トレイ使用時に、前記ベース板上に置かれる小物の端部が当接して、該小物の落下を防止するものである。本発明のトレイは、特には、上記ベース板が、トイレットペーパーホルダーの蓋の上に添って置かれるものが好適である。
【０００７】
「柔軟性高摩擦材料」とは、シリコーンゴム、ブチルゴム（ＩＩＲ）、天然ゴム（ＮＲ）など、柔軟性があってトイレットペーパーホルダーの蓋などの形状にぴたっと添い、上に置いたものが滑り落ちにくい材料である。上に置かれる小物は、スマホ、ポーチ、財布、アクセサリーなどである。
【０００８】
本発明においては、前記ベース板がシリコーンゴム製であることが好ましい。柔軟性と滑りにくさ、着色性の点で優れている。さらに、前記ベース板が、シリコーンゴムにシラスを配合したものであることが好ましい。本明細書において、「シラス」とは、南九州などに広く分布する、白色粉状の火山噴出物のほか、それを加熱・発泡させたシラスバルーンも含む意味である。シラス入りシリコーンゴムは、石目や抹茶・梅干など和のイメージ、あるいは、侘び・寂といった日本の雰囲気が醸し出され、トレイのデザイン性が高くなる。なお、前記シラスの配合割合は、５〜５０重量％が好適である。
【０００９】
本発明のトレイは、ベース板が略長方形であり、幅（図１のY）が８０mm〜１２０mm、長さ（同X）が８０mm〜１１０mm、厚さ（同ｔ）が１．５mm〜３mmであり、前記凸部が長さ方向端から５〜２５ｍｍの位置（同Z）に突設されていることが好ましい。凸部は、ホルダー蓋の傾斜がきつくなる部分（たとえば１０度〜３０度）の手前に位置するのが好ましい。また、前記柔軟性高摩擦材料がゴムであり、硬度が６０度以下であることが好ましい。特に、硬度ほぼ３０〜４０度程度が、価格と柔らかさのバランスがよく好ましい。
【発明の効果】
【００１０】
本発明によれば、トイレットペーパーホルダー等の上に設置するだけで、同ホルダー等の上に携帯電話や財布などを置くことができ、置いたものが落ちにくいトレイを提供できる。
【図面の簡単な説明】
【００１１】
【図１】本発明の実施形態に係るトレイの構造を示す図であり、（Ａ）は平面図、（Ｂ）は正面図、（Ｃ）は側面断面図である。
【図２】図１のトレイの使用状態を示す斜視図である。
【符号の説明】
【００１２】
１；トレイ、３；ベース板、3b；幅方向端部、3d；上表面、５；凸条部（凸部）、
７；両面テープ、11；携帯電話（スマートフォン）
21；トイレットペーパーホルダー、23；蓋、25；アーム、27；軸
31；トイレットペーパーロール
【発明を実施するための形態】
【００１３】
以下、本発明の実施の形態について、図面を参照しながら説明する。図１は、本発明の実施形態に係るトレイの構造を示す図であり、（Ａ）は平面図、（Ｂ）は正面図、（Ｃ）は側面断面図である。この実施形態のトレイ１は、シラス配合シリコーンゴム（柔軟性高摩擦材料）からなるベース板３と、該ベース板３の表面に立設された凸部５と、ベース板３底面の両面テープ７を備える。
【００１４】
ベース板３は、一例で（寸法について以下同じ）、厚さｔ２mm、幅Ｙ115mm、長さＸ100mmの平板である。ベース板の幅方向端部3bから、少し離れた（Ｚ寸法16mm）位置の、ベース板３の上表面3dには、凸条部（凸部）５が、端部3bと平行に延びるように形成されている。この例では、凸条部５は、ベース板３と一体に成形されている。凸条部５の幅は、100mmであり、高さは７mm、幅（厚さ）は４mmである。凸部は、一連のものでなく、間が開いた途切れのあるものでもよい。
【００１５】
図２は、図１のトレイの使用状態を示す斜視図である。図２には、トイレットペーパーホルダー21の蓋23の上にトレイ３が載り（凸条部５が上面の斜め下側にくる状態）、その上に携帯電話（スマートフォン）11が置かれている。トイレットペーパーホルダー21は、やや下にカーブした蓋23や、トイレットペーパーロール31を支える軸27、軸27を支えるアーム25などを備える。
【００１６】
蓋23の上には、ホルダー蓋21の寸法とほぼ同じ寸法の、トレイ１のベース板３が、ピッタリと合わさるように置かれている。この例では、ベース板３の確実な落下防止のために、両面テープ７（図１参照）をベース板の底面に付けてある。なお、シリコーンゴム製ベース板３の底面が鏡面に近い状態の場合には、シリコーンゴムの摩擦のみでも、トレイ１が蓋23から滑り落ちない。
【００１７】
トイレットペーパーホルダー蓋23上で、凸条部５はベース板３の上面の斜め下側（蓋23の先側）に位置する。そして、携帯電話11は、下端（先端）11bを、凸条部５の上側の面に添わせるようにトレイ１上に置かれている。すなわち、凸条部（凸部）５は、トレイ使用時に、ベース板３上に置かれる小物の端部が当接して、該小物の落下を防止するものである。
【００１８】
以下に、シラス配合シリコーンゴムを素材とするトレイの製造方法の具体例を記す。
シリコーンゴム材料；信越化学工業社製ＫＥ941Ｕ（商品名）、架橋剤；同社製「C08」
シラス・シラスバルーン配合割合；５〜５０重量％
成形加圧・架橋条件；160〜180℃、100〜200kgf／mm2、５〜１５分
【図１】
2018007746.tif 000003
【図２】
2018007746.tif 000004